(57)【要約】【課題】複数の画像処理回路の出力について、より正確に同期させる。【解決手段】プロジェクター１は、入力映像信号Ｄを処理し、処理後の信号を出力する複数のコントロールＩＣ６１ｒ、６１ｇ、及び、６１ｂと、複数のコントロールＩＣ６１ｒ、６１ｇ、及び、６１ｂの出力信号のそれぞれに基づいて、画像を表示する表示部と、を備えており、マスターＩＣとして機能するコントロールＩＣ６１ｒは、入力映像信号Ｄと共に入力される同期信号に基づいて、各ＩＣの間で出力信号の同期をとるための出力同期用信号Ｔｘを生成して、各ＩＣに出力し、各ＩＣは、入力された出力同期用信号Ｔｘに同期させて、処理後の信号を出力する。【選択図】図２
2014175750.tif 000002
【特許請求の範囲】
【請求項１】
入力された画像に係る信号を処理し、処理後の信号を出力する複数の画像処理回路と、
複数の前記画像処理回路の出力信号のそれぞれに基づいて、画像を表示する表示部と、を備え、
複数の前記画像処理回路のうち、１の前記画像処理回路は、前記画像に係る信号と共に入力される同期信号に基づいて、複数の前記画像処理回路の間で出力信号の同期をとるための出力同期用信号を生成して、他の前記画像処理回路に出力し、
前記他の前記画像処理回路は、前記出力同期用信号に同期させて、前記処理後の信号を出力することを特徴とする表示装置。
【請求項２】
前記他の前記画像処理回路のそれぞれは、入力された画像に係る信号を処理して生成した画像データを一時記憶するメモリーに接続され、前記出力同期用信号に同期させて、前記メモリーに一時記憶した前記画像データを読み出して信号として出力することを特徴とする請求項１に記載の表示装置。
【請求項３】
前記１の前記画像処理回路は、
前記出力同期用信号として、垂直同期信号、及び、水平同期信号を、前記他の前記画像処理回路に出力し、
前記他の前記画像処理回路は、
入力された前記出力同期用信号に係る前記垂直同期信号、及び、前記水平同期信号のずれについて、前記水平同期信号を基準として補正することを特徴とする請求項１又は２に記載の表示装置。
【請求項４】
前記１の前記画像処理回路は、
生成した前記出力同期用信号を、自身を含めた複数の前記画像処理回路に出力すると共に、入力された前記出力同期用信号に同期させて、前記処理後の信号を出力することを特徴とする請求項１ないし３のいずれかに記載の表示装置。
【請求項５】
前記１の前記画像処理回路は、
共通の信号線を介して、生成した前記出力同期用信号を、自身を含めた複数の前記画像処理回路に出力することを特徴とする請求項４に記載の表示装置。
【請求項６】
入力された画像に係る信号を処理し、処理後の信号を出力する複数の画像処理回路と、
複数の前記画像処理回路の出力信号のそれぞれに基づいて、画像を表示する表示部と、を備える表示装置の制御方法であって、
複数の前記画像処理回路のうち、１の前記画像処理回路は、前記画像に係る信号と共に入力される同期信号に基づいて、複数の前記画像処理回路の間で出力信号の同期をとるための出力同期用信号を生成して、他の前記画像処理回路に出力し、
前記他の前記画像処理回路は、前記出力同期用信号に同期させて、前記処理後の信号を出力することを特徴とする表示装置の制御方法。
【発明の詳細な説明】
【技術分野】
【０００１】
本発明は、画像を表示する表示装置、及び、表示装置の制御方法に関する。
【背景技術】
【０００２】
従来、赤色（Ｒ）、緑色（Ｇ）、及び、青色（Ｂ）の光を変調する液晶パネルを備え、これら液晶パネルで変調した光を合成して投射する表示装置（投射型表示装置）が知られている（例えば、特許文献１参照）。この種の表示装置は、入力された映像信号に対して各種画像処理を施して各色の画像データを生成し、生成した画像データに基づいて、液晶パネルを駆動する。
【先行技術文献】
【特許文献】
【０００３】
【特許文献１】特開２００６−７２２３１号公報
【発明の概要】
【発明が解決しようとする課題】
【０００４】
ここで、上述した表示装置において、画像処理を実行する機能を有する画像処理回路を、色ごとに、設けることを想定する。このような構成とすることにより、それぞれの画像処理回路の処理負荷が軽減され、処理効率の向上が望めると共に、それぞれの画像処理回路について高性能化の必要性の抑制が望める。しかしながら、上記構成とした場合、画像処理回路のそれぞれの出力についてできるだけ正確に同期させ、円滑な画像の表示を行なう必要が生じる。
本発明は、上述した事情に鑑みてなされたものであり、複数の画像処理回路の出力について、より正確に同期させることが可能な表示装置、及び、当該表示の制御方法を提供することを目的とする。
【課題を解決するための手段】
【０００５】
上記目的を達成するために、本発明は、入力された画像に係る信号を処理し、処理後の信号を出力する複数の画像処理回路と、複数の前記画像処理回路の出力信号のそれぞれに基づいて、画像を表示する表示部と、を備え、複数の前記画像処理回路のうち、１の前記画像処理回路は、前記画像に係る信号と共に入力される同期信号に基づいて、複数の前記画像処理回路の間で出力信号の同期をとるための出力同期用信号を生成して、他の前記画像処理回路に出力し、前記他の前記画像処理回路は、前記出力同期用信号に同期させて、前記処理後の信号を出力することを特徴とする。
この構成によれば、画像処理回路は、１の画像処理回路が生成し出力する出力同期用信号と同期をとって出力を行なうため、各画像処理回路間でハードウェア的な手段による同期を実現でき、例えば、各回路が、個別に、入力される同期信号とソフトウェア的な手段により同期をとって出力を行なう場合と比較して、複数の画像処理回路の出力について、より正確に同期させることが可能となる。
【０００６】
また、本発明は、前記他の前記画像処理回路のそれぞれは、入力された画像に係る信号を処理して生成した画像データを一時記憶するメモリーに接続され、前記出力同期用信号に同期させて、前記メモリーに一時記憶した前記画像データを読み出して信号として出力することを特徴とする。
この構成によれば、画像処理回路のそれぞれについて、メモリーに記憶された画像データに係る信号の出力のタイミングをより正確に同期させることができ、より円滑な画像の表示を実現可能である。
【０００７】
また、本発明は、前記１の前記画像処理回路は、前記出力同期用信号として、垂直同期信号、及び、水平同期信号を、前記他の前記画像処理回路に出力し、前記他の前記画像処理回路は、入力された前記出力同期用信号に係る前記垂直同期信号、及び、前記水平同期信号のずれについて、前記水平同期信号を基準として補正することを特徴とする。
ここで、１の画像処理回路が、出力同期用信号として、垂直同期信号、及び、水平同期信号を他の画像処理回路に出力する場合、出力の過程で、これら出力同期用信号に係る垂直同期信号と、水平同期信号との間でずれが生じる可能性がある。そして、上記構成によれば、画像処理回路は、このような信号のずれについて、垂直同期信号と比較して、周期が非常に短い水平同期信号を基準として、ずれの補正を行なう。このため、ずれの補正に伴って生じる画像処理回路間の出力の同期のずれが、水平同期信号の周期に対応するずれに留まり、画像処理回路のそれぞれの間での同期のずれを極力抑制可能である。
【０００８】
また、本発明は、前記１の前記画像処理回路は、生成した前記出力同期用信号を、自身を含めた複数の前記画像処理回路に出力すると共に、入力された前記出力同期用信号に同期させて、前記処理後の信号を出力することを特徴とする。
この構成によれば、全ての画像処理回路には、１の画像処理回路が出力した出力同期用信号が入力され、全ての画像処理回路は、入力された出力同期用信号と同期をとって出力を行なう。このため、より正確に画像処理回路の間で同期をとることが可能となる。
【０００９】
また、本発明は、前記１の前記画像処理回路は、共通の信号線を介して、生成した前記出力同期用信号を、自身を含めた複数の前記画像処理回路に出力することを特徴とする。
この構成によれば、１の画像処理回路が出力した出力同期用信号は、共通の信号線を介して全ての画像処理回路に入力されるため、より正確に画像処理回路の間で同期をとることが可能となる。
【００１０】
また、上記目的を達成するために、本発明は、入力された画像に係る信号を処理し、処理後の信号を出力する複数の画像処理回路と、複数の前記画像処理回路の出力信号のそれぞれに基づいて、画像を表示する表示部と、を備える表示装置の制御方法であって、複数の前記画像処理回路のうち、１の前記画像処理回路は、前記画像に係る信号と共に入力される同期信号に基づいて、複数の前記画像処理回路の間で出力信号の同期をとるための出力同期用信号を生成して、他の前記画像処理回路に出力し、前記他の前記画像処理回路は、前記出力同期用信号に同期させて、前記処理後の信号を出力することを特徴とする。
この制御方法によれば、画像処理回路は、１の画像処理回路が生成し出力する出力同期用信号と同期をとって出力を行なうため、各画像処理回路間でハードウェア的な手段による同期を実現でき、例えば、各回路が、個別に、入力される同期信号とソフトウェア的な手段により同期をとって出力を行なう場合と比較して、複数の画像処理回路の出力について、より正確に同期させることが可能となる。
【発明の効果】
【００１１】
本発明によれば、表示装置が備える複数の画像処理回路の出力について、より正確に同期させることが可能となる。
【図面の簡単な説明】
【００１２】
【図１】本実施形態に係るプロジェクターの全体構成を示す図である。
【図２】信号処理部の構成を示す図である。
【図３】（Ａ）は、マスターＩＣとして機能するコントロールＩＣの機能的構成を示す図であり、（Ｂ）は、スレーブＩＣとして機能するコントロールＩＣの機能的構成を示す図である。
【図４】（Ａ）は、マスターＩＣとして機能するコントロールＩＣが備える外内信号変換処理部の機能的構成を示す図であり、（Ｂ）は、スレーブＩＣとして機能するコントロールＩＣが備える外内信号変換処理部の機能的構成を示す図である。
【発明を実施するための形態】
【００１３】
以下、図面を参照して本発明の実施形態について説明する。
図１は、本実施形態に係る表示装置としてのプロジェクター１の全体構成を示すブロック図である。プロジェクター１は、パーソナルコンピューターや各種映像プレーヤー等の外部の画像供給装置（図示略）に接続され、この画像供給装置から入力される入力映像信号Ｄに基づく画像をスクリーンＳＣ等の表示面に投射して表示する装置である。上記の画像供給装置としては、ビデオ再生装置、ＤＶＤ再生装置、テレビチューナー装置、ＣＡＴＶのセットトップボックス、ビデオゲーム装置等の映像出力装置、パーソナルコンピューター等が挙げられる。プロジェクター１は、静止画像および動画像のいずれであっても表示可能である。
また、本実施形態では、スクリーンＳＣはほぼ直立しており、スクリーン面は矩形形状とされている。
【００１４】
プロジェクター１は、大きく分けて光学的な画像の形成を行う（画像を表示する）表示部４０と、この表示部４０により表示する画像を電気的に処理する画像処理系とからなる。表示部４０は、光源部４１、光変調装置４２、及び投射光学系４３から構成されている。光源部４１は、キセノンランプ、超高圧水銀ランプ、ＬＥＤ等からなる光源を備えている。また、光源部４１は、光源が発した光を光変調装置４２に導くリフレクター及び補助リフレクターを備えていてもよく、投射光の光学特性を高めるためのレンズ群（図示略）、偏光板、或いは光源が発した光の光量を光変調装置４２に至る経路上で低減させる調光素子等を備えたものであってもよい。
光変調装置４２は、赤色（Ｒ）、緑色（Ｇ）、及び、青色（Ｂ）に対応する３つの液晶ライトバルブ４２Ｒ、４２Ｇ、及び、４２Ｂを備えている。液晶ライトバルブ４２Ｒ、４２Ｇ、及び、４２Ｂは、後述する液晶ライトバルブ駆動回路６２ｒ、６２ｇ、及び、６２ｂによって駆動され、マトリクス状に配置された各画素における光の透過率を変化させることにより、入力された光を変調し、出力する。液晶ライトバルブ４２Ｒ、４２Ｇ、及び、４２Ｂが変調した光は、図示せぬクロスダイクロイッックプリズムにより合成されて、投射光学系４３に出力される。
なお、図示は省略したが、光源部４１と、液晶ライトバルブ４２Ｒ、４２Ｇ、及び、４２Ｂとの間には、照明光学系、及び、色分離光学系が設けられている。照明光学系は、光源部４１が発する光を平行化し、光の照度を均一化し、光の偏向方向を一方向に揃え、色分離光学系に出力する。色分離光学系は、反射ミラー、及び、ダイクロイックミラーを備え、照明光学系から入力された光について、赤色、緑色、及び、青色の３つの色光に分離し、それぞれ対応する液晶ライトバルブ４２Ｒ、４２Ｇ、又は、４２Ｂに出力する。
投射光学系４３は、投射する画像の拡大・縮小および焦点の調整を行うズームレンズ、ズームの度合いを調整するズーム調整用モーター、フォーカスの調整を行うフォーカス調整用モーター等を備えている。投射光学系４３は、光変調装置４２で変調された光を、ズームレンズを用いてスクリーンＳＣ上に投射して結像させる。
表示部４０には、制御部１０の制御に従って投射光学系４３が備える各モーターを駆動する投射光学系駆動部１８、及び、制御部１０の制御に従って光源部４１が備える光源を駆動する光源駆動部１９が接続されている。
【００１５】
プロジェクター１の画像処理系は、プロジェクター１全体を統合的に制御する制御部１０を中心に構成される。プロジェクター１は、制御部１０が処理するデータや制御部１０が実行する制御プログラムを記憶した記憶部１１を備える。また、プロジェクター１は、リモコン５による操作を検出するリモコン受光部５２を備え、操作パネル５１及びリモコン受光部５２を介した操作を検出する入力処理部１３を備えている。
制御部１０は、記憶部１１に記憶された制御プログラムを読み出して実行することにより、プロジェクター１の各部を制御する。また、制御部１０は、記憶部１１が記憶する制御プログラムを実行することにより、投射制御部２２の機能を実行する。
投射制御部２２は、入力処理部１３を介して入力される操作情報に基づいて、ユーザーが行った操作の内容を検出し、この操作に応じて信号処理部１５、投射光学系駆動部１８、及び、光源駆動部１９を制御して、スクリーンＳＣに画像を投射させる。
プロジェクター１の本体には、ユーザーが操作を行うための各種スイッチ及びインジケーターランプを備えた操作パネル５１が配置されている。操作パネル５１は入力処理部１３に接続されており、入力処理部１３は、制御部１０の制御に従い、プロジェクター１の動作状態や設定状態に応じて操作パネル５１のインジケーターランプを適宜点灯或いは点滅させる。この操作パネル５１のスイッチが操作されると、操作されたスイッチに対応する操作信号が入力処理部１３から制御部１０に出力される。
また、プロジェクター１は、ユーザーが使用するリモコン５を有する。リモコン５は各種のボタンを備えており、これらのボタンの操作に対応して赤外線信号を送信する。プロジェクター１の本体には、リモコン５が発する赤外線信号を受光するリモコン受光部５２が配置されている。リモコン受光部５２は、リモコン５から受光した赤外線信号をデコードして、リモコン５における操作内容を示す操作信号を生成し、制御部１０に出力する。
信号処理部１５は、制御部１０の制御に従って、画像供給装置から入力される入力映像信号Ｄを取得し、入力映像信号Ｄについて、各種画像処理を施して、赤色成分の画像データ、緑色成分の画像データ、及び、青色成分の画像データを生成し、生成した各色の画像データに基づいて、対応する色の液晶ライトバルブ４２Ｒ、４２Ｇ、及び、４２Ｂに液晶パネルに描画を行ない、各バルブを透過する光を変調させる。
以下、信号処理部１５の構成、及び、機能について、詳述する。
【００１６】
図２は、信号処理部１５の構成を示す図である。
図２に示すように、信号処理部１５は、インターフェースＩＣ６０と、３つのコントロールＩＣ６１ｒ、６１ｇ、及び、６１ｂ（画像処理回路）と、これらコントロールＩＣに対応して設けられた３つの液晶ライトバルブ駆動回路６２ｒ、６２ｇ、及び、６２ｂと、を備えている。
インターフェースＩＣ６０は、以下の機能を有するＩＣ（集積回路）である。すなわち、インターフェースＩＣ６０には、垂直同期信号、及び、水平同期信号が含まれた入力映像信号Ｄが入力される。そして、インターフェースＩＣ６０は、入力された入力映像信号Ｄに基づいて、赤色成分の映像信号である処理前映像信号Ｄ１ｒを生成すると共に、垂直同期信号及び水平同期信号を含むタイミング信号である処理前タイミング信号Ｔ１ｒを生成し、コントロールＩＣ６１ｒに出力する。同様に、インターフェースＩＣ６０は、緑色に係る処理前映像信号Ｄ１ｇ、及び、処理前タイミング信号Ｔ１ｇを生成し、コントロールＩＣ６１ｇに出力し、また、青色に係る処理前映像信号Ｄ１ｂ、及び、処理前タイミング信号Ｔ１ｂを生成し、コントロールＩＣ６１ｂに出力する。
【００１７】
コントロールＩＣ６１ｒ（１の画像処理回路）は、入力された処理前映像信号Ｄ１ｒ、及び、処理前タイミング信号Ｔ１ｒに基づいて、後に詳述する手段によって、赤色成分の映像信号である処理後映像信号Ｄ２ｒ、及び、垂直同期信号及び水平同期信号を含むタイミング信号である処理後タイミング信号Ｔ２ｒを生成して、液晶ライトバルブ駆動回路６２ｒに出力する。液晶ライトバルブ駆動回路６２ｒは、入力された処理後映像信号Ｄ２ｒ、及び、処理後タイミング信号Ｔ２ｒに基づいて、適切なタイミングで適切な駆動信号を液晶ライトバルブ４２Ｒに出力し、当該ライトバルブのマトリクス状に配置された各画素における光の透過率を変化させる。
同様に、コントロールＩＣ６１ｇ（他の画像処理回路）は、入力された処理前映像信号Ｄ１ｇ、及び、処理前タイミング信号Ｔ１ｇに基づいて、緑色に係る処理後映像信号Ｄ２ｇ、及び、処理後タイミング信号Ｔ２ｇを生成して、液晶ライトバルブ駆動回路６２ｇに出力し、液晶ライトバルブ駆動回路６２ｇは、入力に基づいて液晶ライトバルブ４２Ｇを駆動して光を変調させ、また、コントロールＩＣ６１ｂ（他の画像処理回路）は、入力された処理前映像信号Ｄ１ｂ、及び、処理前タイミング信号Ｔ１ｂに基づいて、青色に係る処理後映像信号Ｄ２ｂ、及び、処理後タイミング信号Ｔ２ｂを生成して、液晶ライトバルブ駆動回路６２ｂに出力し、液晶ライトバルブ駆動回路６２ｂは、入力に基づいて液晶ライトバルブ４２Ｂを駆動して光を変調させる。
コントロールＩＣ６１ｒ、６１ｇ、及び、６１ｂのそれぞれは、独立したＩＣ（集積回路）であり、それぞれのＩＣが各種画像処理を実行する機能を有している。
【００１８】
このように、本実施形態に係るプロジェクター１では、画像処理を行なう画像処理回路（コントロールＩＣ６１ｒ、６１ｇ、及び、６１ｂ）が色ごとに独立して３つ設けられた構成となっている。このような構成とすることにより、全ての色に係る画像処理を１つの画像処理回路が実行する構成の場合と比較して、それぞれの画像処理回路の処理負荷が軽減され、処理効率の向上が望め、また、それぞれの画像処理回路について高性能化の必要性の抑制が望める。
しかしながら、上記構成とした場合、画像処理回路のそれぞれの出力（処理後映像信号Ｄ２ｒ、Ｄ２ｇ、及び、Ｄ２ｂの出力）についてできるだけ正確に同期させる必要が生じる。
以上を踏まえ、本実施形態に係るプロジェクター１の信号処理部１５は、以下の構成の下、以下の処理により、各画像処理回路による出力のより正確な同期を実現している。
【００１９】
図３（Ａ）は、コントロールＩＣ６１ｒの機能的構成を示すブロック図であり、図３（Ｂ）は、コントロールＩＣ６１ｇの機能的構成を示すブロック図である。コントロールＩＣ６１ｂの機能ブロックは、コントロールＩＣ６１ｇと同様であるため、図３における図示を省略している。
本実施形態では、コントロールＩＣ６１ｒは、出力同期用信号Ｔｘを生成し、出力する機能（後述）を有するマスターＩＣとして機能し、コントロールＩＣ６１ｇ、及び、６１ｂは、当該機能を有さないスレーブＩＣとして機能する。コントロールＩＣ６１ｒと、コントロールＩＣ６１ｇとの機能ブロックの相違は、コントロールＩＣ６１ｒがマスターＩＣであり、コントロールＩＣ６１ｇがスレーブＩＣであることに起因するものである。複数あるコントロールＩＣのうち、いずれのコントロールＩＣをマスターＩＣとして機能させるのかは、ユーザーにより設定可能な構成となっている。
マスターＩＣとして機能するコントロールＩＣが、「１の画像処理回路」であり、スレーブＩＣとして機能するコントロールＩＣが、「他の画像処理回路」である。
【００２０】
図３（Ａ）に示すように、コントロールＩＣ６１ｒは、画像処理部６４ｒと、フレームレート変換処理部６６ｒと、外内信号変換処理部６７ｒと、タイミング調整処理部６８ｒと、を備えている。
マスターＩＣたるコントロールＩＣ６１ｒの画像処理部６４ｒは、入力された処理前映像信号Ｄ１ｒについて、入力された処理前タイミング信号Ｔ１ｒに係る垂直同期信号に基づいて、１フレーム分の画像データを切り出す。次いで、画像処理部６４ｒは、当該画像データについて、サイズの調整に係る処理や、入力映像信号Ｄの解像度と光変調装置４２の液晶パネルの解像度との差異を吸収する解像度変換処理、キーストーン補正処理、リモコン５や操作パネル５１の操作により指示されたズームに基づく拡大／縮小処理等の必要な画像処理を施して、処理後画像データＰｒを生成する。次いで、画像処理部６４ｒは、生成した処理後画像データＰｒを、一時記憶領域（バッファー）が形成されたメモリー６５ｇに展開する（一時記憶する）。
さらに、画像処理部６４ｒは、入力された処理前タイミング信号Ｔ１ｒを、フレームレート変換処理部６６ｒに出力する。
一方、図３（Ｂ）に示すように、コントロールＩＣ６１ｇは、画像処理部６４ｇと、外内信号変換処理部６７ｇと、タイミング調整処理部６８ｇと、を備えている。
スレーブＩＣたるコントロールＩＣ６１ｇの画像処理部６４ｇの機能は、入力された処理前タイミング信号Ｔ１ｇを出力する機能を有していない点のほかは、画像処理部６４ｒと同様であり、入力に基づいて処理後画像データＰｇを生成し、メモリー６５ｇに展開する。
【００２１】
図３（Ａ）を参照し、マスターＩＣたるコントロールＩＣ６１ｒのフレームレート変換処理部６６ｒは、入力された処理前タイミング信号Ｔ１ｒについて、コントロールＩＣ６１ｒに入力される入力映像信号Ｄに係るフレームレートと、コントロールＩＣ６１ｒから出力される処理後映像信号Ｄ２ｒに係るフレームレートが異なっている場合に、当該フレームレートの差異を吸収するように処理前タイミング信号Ｔ１ｒを変換することによって、垂直同期信号及び水平同期信号を含むフレームレート変換後タイミング信号Ｔ３ｒを生成し、外内信号変換処理部６７ｒに出力する。
【００２２】
図４（Ａ）は、外内信号変換処理部６７ｒの機能的構成を示すブロック図である。
図４（Ａ）に示すように、外内信号変換処理部６７ｒは、出力同期用信号生成出力部７０ｒと、非同期処理部７１ｒと、タイミング信号再生成部７２ｒと、を備えている。
出力同期用信号生成出力部７０ｒには、上述したフレームレート変換処理部６６ｒが出力したフレームレート変換後タイミング信号Ｔ３ｒが入力される。出力同期用信号生成出力部７０ｒは、入力されたフレームレート変換後タイミング信号Ｔ３ｒに基づいて、垂直同期信号及び水平同期信号を含む出力同期用信号Ｔｘを生成する。
詳述すると、後述するように、出力同期用信号Ｔｘは、コントロールＩＣ６１ｒの所定のポートに接続された信号線を介して、コントロールＩＣ６１ｒを含む全てのコントロールＩＣに出力される。これを踏まえ、出力同期用信号生成出力部７０ｒは、コントロールＩＣのそれぞれに適切に入力可能であり、かつ、コントロールＩＣのそれぞれが処理可能となるように、フレームレート変換後タイミング信号Ｔ３ｒの信号の態様を変換して、出力同期用信号Ｔｘを生成する。例えば、出力同期用信号生成出力部７０ｒは、同期信号のパルス幅を大きくする変換を行ったり、同期信号のパルスごとにＨｉｇｈとＬｏｗとが入れ替わるトグル信号にする変換を行なったりする。
次いで、出力同期用信号生成出力部７０ｒは、生成した出力同期用信号Ｔｘを、所定のポートに接続された信号線を介して出力する。当該信号線は、全てのコントロールＩＣ６１ｒ、６１ｇ、及び、６１ｂの所定のポートに接続されており、出力同期用信号生成出力部７０ｒが出力した出力同期用信号Ｔｘは、信号線を介して、全てのコントロールＩＣ６１ｒ、６１ｇ、及び、６１ｂに入力される。
このように、本実施形態では、マスターＩＣたるコントロールＩＣ６１ｒが出力した出力同期用信号Ｔｘは、共通の信号線を介して、自身（コントロールＩＣ６１ｒ）を含む全てのコントロールＩＣ６１ｒ、６１ｇ、及び、６１ｂに入力される。このような構成のため、全てのコントロールＩＣ６１ｒ、６１ｇ、及び、６１ｂに入力される出力同期用信号Ｔｘについて、より正確に同期をとることができ、これにより、後述するように、各コントロールＩＣの出力についても、より正確に同期をとることができる。
【００２３】
図４（Ａ）を参照し、コントロールＩＣ６１ｒの出力同期用信号生成出力部７０ｒが出力した出力同期用信号Ｔｘは、信号線を介して外内信号変換処理部６７ｒの非同期処理部７１ｒに入力される。
非同期処理部７１ｒは、出力同期用信号ＴｘがコントロールＩＣ６１ｒの外部へ出力されたことに起因して、当該信号と、コントロールＩＣ６１ｒの内部クロックとの間で同期が取れなくなっている可能性があることを踏まえ、出力同期用信号Ｔｘに対して内部クロックとの同期を取るための処理（非同期処理）を行なうことにより、垂直同期信号及び水平同期信号を含む非同期処理後タイミング信号Ｔ４ｒを生成し、タイミング信号再生成部７２ｒに出力する。
タイミング信号再生成部７２ｒは、出力同期用信号ＴｘがコントロールＩＣ６１ｒの外部へ出力されたことに起因して、当該信号に基づいて生成された非同期処理後タイミング信号Ｔ４ｒにおいて、垂直同期信号、及び、水平同期信号に同期のずれが生じている可能性があることを踏まえ、水平同期信号を基準として、これら信号間の同期のずれを補正して、処理後タイミング信号Ｔ２ｒを生成し、出力する。
詳述すると、１フレーム分の非同期処理後タイミング信号Ｔ４ｒにおいて、垂直同期信号の立ち上がりと、水平同期信号の立ち上がりと、にずれが生じている場合、タイミング信号再生成部７２ｒは、垂直同期信号の立ち上がりのタイミングを変移させることによって、これら信号の立ち上がりを同期させ、これら信号間の同期のずれを補正する。
一方、図４（Ｂ）に示すように、外内信号変換処理部６７ｇは、非同期処理部７１ｇと、タイミング信号再生成部７２ｇと、を備えている。
スレーブＩＣたるコントロールＩＣ６１ｇの外内信号変換処理部６７ｇの機能は、出力同期用信号生成出力部７０ｒに対応する機能を有していない点のほかは、外内信号変換処理部６７ｒと同様であり、非同期処理部７１ｇは、入力された出力同期用信号Ｔｘについて、非同期処理を行なって、非同期処理後タイミング信号Ｔ４ｇを生成、出力し、タイミング信号再生成部７２ｇは、入力された非同期処理後タイミング信号Ｔ４ｇについて、垂直同期信号、及び、水平同期信号のずれを補正する処理を行なって、処理後タイミング信号Ｔ２ｇを生成し、出力する。
【００２４】
以上のような処理が行なわれるため、マスターＩＣたるコントロールＩＣ６１ｒのタイミング信号再生成部７２ｒが出力する処理後タイミング信号Ｔ２ｒと、スレーブＩＣたるコントロールＩＣ６１ｇのタイミング信号再生成部７２ｇが出力する処理後タイミング信号Ｔ２ｇとの同期のずれは、極力抑制される。
詳述すると、本実施形態では、コントロールＩＣ６１ｒ（マスターＩＣ）が、出力同期用信号Ｔｘを生成し、共通の信号線を介して、自身を含む全てのコントロールＩＣ６１ｒ、６１ｇ、及び、６１ｂに出力する。このような構成のため、各コントロールＩＣ６１ｒ、６１ｇ、及び、６１ｂに入力される出力同期用信号Ｔｘのそれぞれについて、非常に高い精度で同期がとれた状態である。特に、各コントロールＩＣＩＣ６１ｒ、６１ｇ、及び、６１ｂにおける入力された出力同期用信号Ｔｘの同期は、ハードウェア的な手段によって実現されており、ソフトウェア的な手段（例えば、内部クロックの出力に基づいたソフトウェア的な割り込み処理によって各ＩＣで同期を取る手段）で同期をとる場合と比較して、より高い精度で同期が取れる。従って、出力同期用信号Ｔｘに基づいて各コントロールＩＣ６１ｒ、６１ｇ、及び、６１ｂが生成する処理後タイミング信号Ｔ２ｒ、Ｔ２ｇ、及び、Ｔ２ｂについても高い精度で同期が取れる。
一方で、出力同期用信号Ｔｘは、コントロールＩＣ６１ｒ（マスターＩＣ）から信号線を介して外部に出力されるという性質上、当該信号における垂直同期信号と、水平同期信号との間でずれが生じる可能性はある。しかしながら、本実施形態では、これら垂直同期信号、及び、水平同期信号のずれについて、水平同期信号を基準として補正される。ここで、水平同期信号は、垂直同期信号と比較して、その周期が非常に小さい（例えば、垂直同期信号が１６ｍｓの周期であるのに対して、水平同期信号は、３．７μｓ）。従って、ずれの補正に伴って、各コントロールＩＣＩＣ６１ｒ、６１ｇ、及び、６１ｂ間の処理後タイミング信号Ｔ２ｒ、Ｔ２ｇ、及び、Ｔ２ｂに同期のずれが生じた場合であっても、そのずれは、水平同期信号の周期に対応するずれに留まり、当該同期のずれが極力抑制される。
【００２５】
さて、前掲図３（Ａ）に戻り、マスターＩＣたるコントロールＩＣ６１ｒのタイミング調整処理部６８ｒは、外内信号変換処理部６７ｒから入力された処理後タイミング信号Ｔ２ｒが示すタイミングに準じて、メモリー６５ｒに展開された処理後画像データＰｒを読み出し、処理後映像信号Ｄ２ｒとして液晶ライトバルブ駆動回路６２ｒに出力する。タイミング調整処理部６８ｒは、処理後映像信号Ｄ２ｒと併せて、処理後タイミング信号Ｔ２ｒを出力する。
同様に、図３（Ｂ）に示すように、スレーブＩＣたるコントロールＩＣ６１ｇのタイミング調整処理部６８ｇは、外内信号変換処理部６７ｇから入力された処理後タイミング信号Ｔ２ｇが示すタイミングに準じて、メモリー６５ｇに展開された処理後画像データＰｇを読み出し、処理後映像信号Ｄ２ｇとして、処理後タイミング信号Ｔ２ｇと併せて、液晶ライトバルブ駆動回路６２ｇに出力する。そして、スレーブＩＣたるコントロールＩＣ６１ｂについても、同様の動作が行なわれる。
液晶ライトバルブ駆動回路６２ｒ、６２ｇ、６２ｂのそれぞれは、処理後タイミング信号Ｔ２ｒ、Ｔ２ｇ、Ｔ２ｂが示すタイミングに準じて、入力された処理後映像信号Ｄ２ｒ、Ｄ２ｇ、Ｄ２ｂに基づいて、液晶ライトバルブ４２Ｒ、４２Ｇ、４２Ｂを駆動する。上述したとおり、処理後タイミング信号Ｔ２ｒ、Ｔ２ｇ、Ｔ２ｂのそれぞれは、高い正確性をもって同期が取れているため、スクリーンＳＣ上で赤色に係る画像と、緑色に係る画像と、青色に係る画像とが高い正確性をもって同期が取れた状態となり、より円滑な画像の表示が実現される。
【００２６】
以上説明したように、本実施形態に係るプロジェクター１（表示装置）は、入力映像信号Ｄ（入力された画像に係る信号）を処理し、処理後の信号を出力する複数のコントロールＩＣ６１ｒ、６１ｇ、及び、６１ｂ（複数の画像処理回路）と、複数のコントロールＩＣ６１ｒ、６１ｇ、及び、６１ｂの出力信号のそれぞれに基づいて、画像を表示する表示部４０と、を備えている。そして、複数のコントロールＩＣ６１ｒ、６１ｇ、及び、６１ｂのうち、マスターＩＣとして機能するコントロールＩＣ６１ｒは、入力映像信号Ｄと共に入力される同期信号に基づいて、コントロールＩＣ６１ｒ、６１ｇ、及び、６１ｂの間で出力信号の同期をとるための出力同期用信号Ｔｘを生成して、コントロールＩＣ６１ｒ、６１ｇ、及び、６１ｂに出力し、これらＩＣは、入力された出力同期用信号Ｔｘに同期させて、処理後の信号を出力する。
この構成によれば、コントロールＩＣ６１ｒ、６１ｇ、及び、６１ｂ間でハードウェア的な手段による同期を実現でき、例えば、各回路が、個別に、入力される同期信号とソフトウェア的な手段により同期をとって出力を行なう場合と比較して、より正確に出力を同期させることが可能となる。
【００２７】
また、本実施形態では、コントロールＩＣ６１ｒ、６１ｇ、及び、６１ｂのそれぞれは、入力映像信号Ｄを処理して生成した画像データを一時記憶するメモリーに接続されており、各ＩＣは、入力された出力同期用信号Ｔｘに同期させて、メモリーに一時記憶した画像データを読み出して信号として出力する。
この構成によれば、コントロールＩＣ６１ｒ、６１ｇ、及び、６１ｂのそれぞれについて、メモリーに記憶された画像データに係る信号の出力のタイミングをより正確に同期させることができ、より円滑な画像の表示を実現可能である。
【００２８】
また、本実施形態では、コントロールＩＣ６１ｒ、６１ｇ、及び、６１ｂは入力された出力同期用信号Ｔｘに係る垂直同期信号、及び、水平同期信号のずれ（本例では、出力同期用信号Ｔｘに基づいて生成された非同期処理後タイミング信号における垂直同期信号、及び、水平同期信号のずれ）について、水平同期信号を基準として補正する。
この構成によれば、コントロールＩＣ６１ｒ、６１ｇ、及び、６１ｂは、出力同期用信号Ｔｘにおける垂直同期信号と水平同期信号とのずれについて、垂直同期信号と比較して、周期が非常に短い水平同期信号を基準として、ずれの補正を行なう。このため、ずれの補正に伴って生じる各ＩＣ間での出力の同期のずれが、水平同期信号の周期に対応するずれに留まり、各ＩＣのそれぞれの間での同期のずれを極力抑制可能である。
【００２９】
また、本実施形態では、マスターＩＣたるコントロールＩＣ６１ｒは、生成した出力同期用信号Ｔｘを、自身を含めた全てのコントロールＩＣ６１ｒ、６１ｇ、及び、６１ｂに出力すると共に、入力された出力同期用信号Ｔｘに同期させて、処理後の信号を出力する。
この構成によれば、全てのコントロールＩＣ６１ｒ、６１ｇ、及び、６１ｂには、マスターＩＣたるコントロールＩＣ６１ｒが出力した出力同期用信号Ｔｘが入力され、全てのＩＣは、入力された出力同期用信号Ｔｘと同期をとって出力を行なう。このため、より正確に各ＩＣの間で出力の同期をとることが可能となる。
【００３０】
また、本実施形態では、マスターＩＣたるコントロールＩＣ６１ｒは、共通の信号線を介して、生成した出力同期用信号Ｔｘを、自身を含めた全てのコントロールＩＣ６１ｒ、６１ｇ、及び、６１ｂに出力する。
この構成によれば、マスターＩＣたるコントロールＩＣ６１ｒが出力した出力同期用信号Ｔｘは、共通の信号線を介して全てのコントロールＩＣ６１ｒ、６１ｇ、及び、６１ｂに入力されるため、より正確に画像処理回路の間で同期をとることが可能となる。
【００３１】
なお、上述した実施の形態は、あくまでも本発明の一態様を示すものであり、本発明の範囲内で任意に変形および応用が可能である。
上述した実施形態では、画像処理の機能を有する画像処理回路を複数備えるプロジェクターの本発明を適用した場合を例にして、本発明を説明したが、例えば、複数の投射光学系を有し、これら複数の投射光学系が投射する画像の全域、又は、一部を重ね合わせて画像を表示するプロジェクターであって、投射光学系のそれぞれを制御するためのＩＣ（集積回路）を複数備えるもの、についても本発明を適用可能である。すなわち、本願発明は、画像処理回路を複数備える表示装置であって、画像処理装置の出力について同期をとることが求められるものについて、広く適用可能である。
また、マスターＩＣと、スレーブＩＣとの切替えに関し、３つのコントロールＩＣ６１ｒ、６１ｇ、及び、６１ｂが同一の構成、機能を有しており、配線（接続）によってマスターとスレーブとの役割が変更される構成であってもよい。例えば、各コントロールＩＣ６１ｒ、６１ｇ、及び、６１ｂが、それぞれ、図３（Ａ）、及び、図４（Ａ）に示すような構成、すなわち、出力同期用信号Ｔｘを出力可能な構成を有しているが、１つのコントロールＩＣから出力される出力同期用信号Ｔｘのみが同期に利用され、他のコントロールＩＣから出力される出力同期用信号Ｔｘは、例えば、信号線を接続しないことにより、使用しない構成であってもよい。
また、図１〜図４に示したプロジェクター１の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、プロジェクター１の他の各部の具体的な細部構成についても、本発明の趣旨を逸脱しない範囲で任意に変更可能である。
また、上記実施形態において記憶部１１が記憶していた制御プログラムを、プロジェクター１が通信ネットワークを介して接続された他の装置からダウンロードして実行してもよいし、可搬型の記録媒体に制御プログラムを記録して、この記録媒体から上記各プログラムを読み取って実行する構成としてもよい。
【符号の説明】
【００３２】
１…プロジェクター（表示装置）、１０…制御部、１５…信号処理部、４０…表示部、４１…光源部、４２…光変調装置、４２Ｒ、４２Ｇ、４２Ｂ…液晶ライトバルブ、４３…投射光学系、６１ｒ、６１ｇ、６１ｂ…コントロールＩＣ（画像処理回路）、６２ｒ、６２ｇ、６２ｂ…液晶ライトバルブ駆動回路、６４ｒ、６４ｇ…画像処理部、６５ｒ、６５ｇ…メモリー、６６ｒ…フレームレート変換処理部、６７ｒ、６７ｇ…外内信号変換処理部、６８ｒ、６８ｇ…タイミング調整処理部、７０ｒ…出力同期用信号生成出力部、７１ｒ、７１ｇ…非同期処理部、７２ｒ、７２ｇ…タイミング信号再生成部、Ｔｘ…出力同期用信号。
【図１】
2014175750.tif 000003
【図２】
2014175750.tif 000004
【図３】
2014175750.tif 000005
【図４】
2014175750.tif 000006